【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  入力した画像データを圧縮符号化する画像符号化方法において、
入力画像データを複数の周波数帯域に分割する帯域分割工程と、
前記帯域分割工程で帯域分割された各画像データを符号化処理する符号化工程と、
前記符号化工程で符号化処理された画像データを閾値に基づいてビット深さ方向に複数の階層に分割する画質分割工程と、
前記帯域分割工程で帯域分割された画像データの垂直成分の程度に応じて前記画質分割工程における前記閾値を設定する設定工程とを有することを特徴とする画像符号化方法。
【請求項２】  請求項１において、前記設定工程は前記帯域分割された画像データの前記垂直成分が低いときは前記垂直成分が高いときに比べて前記閾値を高く設定することを特徴とする画像符号化方法。
【請求項３】  請求項１において、前記画質分割工程で分割された画像のデータブロックを並べてデータストリームを生成するストリーム生成工程をさらに有し、該ストリーム生成工程は分割された帯域順序よりも、分割された画質順序を優先して前記データブロックを並べてデータストリームを生成することを特徴とする画像符号化方法。
【請求項４】  請求項３において、所望の画質レベルを入力する入力工程と、前記データストリームの先頭からデータの切出し地点を逐次解析するストリーム解析工程と、前記入力工程で入力された画質レベルに適合する切出し地点を算出して前記ストリーム解析工程に指示する算出工程をさらに有することを特徴とする画像符号化方法。
【請求項５】  請求項４において、前記ストリーム解析工程が解析した切出し地点以降のデータブロックの数と同じ数のデータ内容が零であるデータブロックを新たに追加する零データブロック追加工程をさらに有することを特徴とする画像符号化方法。
【請求項６】  入力した画像データを圧縮符号化する画像符号化方法において、
入力画像データを複数の周波数帯域に分割する帯域分割工程と、
前記帯域分割工程で帯域分割された各画像データを複数の画像空間に分割する位置分割工程と、
前記位置分割工程で位置分割された画像データを符号化処理する符号化工程とを有し、
前記帯域分割工程で帯域分割された帯域データの画素数を複数の表示解像度を包含する値とし、前記位置分割工程で位置分割された帯域データの画素数を複数の表示画角を包含する値とするように符号化空間の画素数を設定することを特徴とする画像符号化方法。
【請求項７】  請求項６において、前記位置分割工程は前記複数の表示画角のうち縦横比が１に近い画角のときは、垂直方向の画素数を固定し、水平方向は全画角の中心位置から左右均等になるよう設定して画像位置分割することを特徴とする画像符号化方法。
【請求項８】  請求項６において、前記符号化工程で符号化処理された画像のデータブロックを並べてデータストリームを生成するストリーム生成工程をさらに有し、該ストリーム生成工程は分割された位置順序よりも、分割された帯域順序を優先して前記データブロックを並べてデータストリームを生成することを特徴とする画像符号化方法。
【請求項９】  請求項８において、所望の解像度または画角レベルを入力する入力工程と、前記データストリームの先頭からデータの切出し地点を逐次解析するストリーム解析工程と、前記入力工程で入力された解像度又は画角レベルに適合する切出し地点を算出して前記ストリーム解析工程に指示する算出工程をさらに有することを特徴とする画像符号化方法。
【請求項１０】  請求項９において、前記ストリーム解析工程が解析した切出し地点以降のデータブロックの数と同じ数のデータ内容が零であるデータブロックを新たに追加する零データブロック追加工程をさらに有することを特徴とする画像符号化方法。
【請求項１１】  入力した画像データを圧縮符号化する画像符号化方法において、
入力画像データを複数の周波数帯域に分割する帯域分割工程と、
前記帯域分割工程で帯域分割された各画像データを複数の画像空間に分割する位置分割工程と、
前記位置分割工程で位置分割された画像データを符号化処理する符号化工程と、
前記符号化工程で符号化処理された画像データを閾値に基づいてビット深さ方向に複数の階層に分割する画質分割工程とを有し、
前記帯域分割工程で帯域分割された帯域データの画素数が複数の表示解像度を包含する値となるよう設定し、前記位置分割工程で位置分割された帯域データの画素数が複数の表示画角を包含する値となるよう設定し、さらに前記帯域分割された画像データの垂直成分が低いときは前記垂直成分が高いときに比べて前記閾値を高く設定することを特徴とする画像符号化方法。
【請求項１２】  請求項１１において、前記画質分割工程で分割された画像のデータブロックを並べてデータストリームを生成するストリーム生成工程をさらに有し、該ストリーム生成工程は分割された帯域順序または位置順序よりも分割された画質順序を優先し、かつ分割された位置順序よりも分割された帯域順序を優先して前記データブロックを並べてデータストリームを生成することを特徴とする画像符号化方法。
【請求項１３】  請求項１２において、所望の解像度、画角または画質レベルを入力する入力工程と、前記データストリームの先頭からデータの切出し地点を逐次解析するストリーム解析工程と、前記入力工程で入力された解像度、画角または画質レベルに適合する切出し地点を算出して前記ストリーム解析工程に指示する算出工程をさらに有することを特徴とする画像符号化方法。
【請求項１４】  請求項１３において、前記ストリーム解析工程が解析した切出し地点以降のデータブロックの数と同じ数のデータ内容が零であるデータブロックを新たに追加する零データブロック追加工程をさらに有することを特徴とする画像符号化方法。
【請求項１５】  請求項１１において、前記帯域分割工程における分割数が、前記表示解像度数＋１であることを特徴とする画像符号化方法。
【請求項１６】  入力した画像データを圧縮符号化する画像符号化装置において、
入力画像データを複数の周波数帯域に分割する帯域分割手段と、
前記帯域分割手段によって帯域分割された各画像データを複数の画像空間に分割する位置分割手段と、
前記位置分割手段によって位置分割された画像データを符号化処理する符号化手段と、
前記符号化手段によって符号化処理された画像データを閾値に基づいてビット深さ方向に複数の階層に分割する画質分割手段と、
前記帯域分割手段によって帯域分割された帯域データの画素数が複数の表示解像度を包含する値となるよう設定し、前記位置分割手段で位置分割された帯域データの画素数が複数の表示画角を包含する値となるよう設定し、さらに前記帯域分割された画像データの垂直成分が低いときは前記垂直成分が高いときに比べて前記閾値を高く設定する設定手段を備えたことを特徴とする画像符号化装置。
【請求項１７】  請求項１６において、前記画質分割手段で分割された画像のデータブロックを並べてデータストリームを生成するストリーム生成手段をさらに有し、該ストリーム生成手段は分割された帯域順序または位置順序よりも分割された画質順序を優先し、かつ分割された位置順序よりも分割された帯域順序を優先して前記データブロックを並べてデータストリームを生成することを特徴とする画像符号化装置。
【請求項１８】  請求項１７において、前記データストリームを記録する記録装置において、所望の解像度、画角または画質にしたがって、前記データストリームを所定の切出し地点で分離して、分離したデータストリームの前半部分に含まれる符号化データを第１の記録エリアに記録し、分離したデータストリームの後半部分に含まれる符号化データを前記第１の記録エリアとは異なる第２の記録エリアに記録することを特徴とする記録装置。
【手続補正２】
【補正対象書類名】明細書
【補正対象項目名】００１３
【補正方法】変更
【補正の内容】
【００１３】
本発明の画像符号化方法は、入力した画像データを圧縮符号化する画像符号化方法において、入力画像データを複数の周波数帯域に分割する帯域分割工程と、前記帯域分割工程で帯域分割された各画像データを符号化処理する符号化工程と、前記符号化工程で符号化処理された画像データを閾値に基づいてビット深さ方向に複数の階層に分割する画質分割工程と、前記帯域分割工程で帯域分割された画像データの垂直成分の程度に応じて前記画質分割工程における前記閾値を設定する設定工程とを有することを特徴とする。
【手続補正３】
【補正対象書類名】明細書
【補正対象項目名】００１４
【補正方法】変更
【補正の内容】
【００１４】
また、本発明の画像符号化装置は、入力した画像データを圧縮符号化する画像符号化装置において、入力画像データを複数の周波数帯域に分割する帯域分割手段と、前記帯域分割手段によって帯域分割された各画像データを複数の画像空間に分割する位置分割手段と、前記位置分割手段によって位置分割された画像データを符号化処理する符号化手段と、前記符号化手段によって符号化処理された画像データを閾値に基づいてビット深さ方向に複数の階層に分割する画質分割手段と、前記帯域分割手段によって帯域分割された帯域データの画素数が複数の表示解像度を包含する値となるよう設定し、前記位置分割手段で位置分割された帯域データの画素数が複数の表示画角を包含する値となるよう設定し、さらに前記帯域分割された画像データの垂直成分が低いときは前記垂直成分が高いときに比べて前記閾値を高く設定する設定手段を備えたことを特徴とする。